(57)【特許請求の範囲】
【請求項１】
端子に装着された絶縁キャップに当接される当接部材と、当該当接部材を押圧する付勢手段と、前記当接部材と付勢手段とを支持し前記端子を被うカバー手段と、当該カバー手段を支持する支持手段と、前記カバー手段が前記端子を被う状態で前記当接部材及び前記支持手段に係合可能に作動される係合手段とを備えたことを特徴とする端子用保護カバー装置。
【請求項２】
端子に装着された絶縁キャップに当接される当接部材と、当該当接部材を押圧する付勢手段と、前記当接部材と付勢手段とを支持し前記端子を被うカバー手段と、当該カバー手段を支持する支持手段と、前記カバー手段が前記端子を被う状態で前記当接部材及び前記支持手段に係合可能に作動される係合手段と、
前記カバー手段が前記付勢手段及び当接部材を介して前記端子の絶縁キャップを適正に押圧した適正カバー状態において、前記当接部材及び前記支持手段に係合する前記係合手段を固定させる施錠手段とを備えたことを特徴とする端子用保護カバー装置。
【請求項３】
複数の端子に各々応じた当接部材及び付勢手段を有し、係合手段は複数の当接部材と同時に係合可能であることを特徴とする請求項１又は請求項２に記載の端子用保護カバー装置。
【請求項４】
当接部材は、絶縁キャップの装着方向へ摺動自在にカバー手段に支持され、前記カバー手段は、裏面側で端子を被う板状であって、当該カバー手段を貫通して絶縁キャップの着脱方向と平行に延在する支持手段に対し摺動自在であることを特徴とする請求項１乃至請求項３の何れかに記載の端子用保護カバー装置。
【請求項５】
係合手段は、板状のカバー手段に平行移動自在に支持され、所定の移動位置において、当接部材及び支持手段と係合可能であり、更に当該係合手段は、略板状部材であって、当該板状部材の一部の縁部が前記当接部材の溝に係脱自在に係合可能であると共に、他の一部の縁部が板状の前記支持手段の溝に係脱自在に係合可能であることを特徴とする請求項１乃至請求項４の何れかに記載の端子用保護カバー装置。
【発明の詳細な説明】
【０００１】
【発明の属する技術分野】
本発明は、端子に着脱自在に装着される絶縁キャップを介して、端子を保護する端子用保護カバー装置に関する。
【０００２】
【従来の技術】
従来の端子用保護カバー装置として、開閉器の試験用端子の保護カバー装置を例にして説明する。図１５は保護カバー装置を備えた開閉器の斜視図、図１６は保護カバー装置の正面図である。
【０００３】
図１５において、図中の符号９０は開閉器であり、９１、９１、９１は開閉器９０の試験用の端子である。９２は箱状のカバー手段であり、横並びの試験用端子９１、９１、９１を一括して被う。
図１６において、カバー手段９２は、図の左端側を中心として右端側が図示の矢印方向に回動して、試験用端子９１、９１、９１を一括して開放したり、閉鎖したりする構成となっている。
尚、上記の図において、これら複数の試験用端子９１、９１、９１を個々に独立して被うよう着脱自在に装着される絶縁キャップは省略されている。
【０００４】
【発明が解決しようとする課題】
従来の端子用保護カバー装置では、上記の図１５及び図１６に示すように、カバー手段９２が、絶縁キャップが装着された試験用端子９１、９１、９１を単純に被うだけの構成であるから、当該カバー手段９２の開閉の際や端子への接続作業の際等において、絶縁キャップが不用意に外れないようにする必要がある。
本発明は、端子に装着された絶縁キャップを適正な装着状態に維持すると共に、不用意には外れない端子用保護カバー装置の提供を目的とする。
【０００５】
【課題を解決するための手段】
請求項１の発明は、端子に装着された絶縁キャップに当接される当接部材と、当該当接部材を押圧する付勢手段と、前記当接部材と付勢手段とを支持し前記端子を被うカバー手段と、当該カバー手段を支持する支持手段と、前記カバー手段が前記端子を被う状態で前記当接部材及び前記支持手段に係合可能に作動される係合手段とを備えたことを特徴とする。
【０００６】
請求項２の発明は、端子に装着された絶縁キャップに当接される当接部材と、当該当接部材を押圧する付勢手段と、前記当接部材と付勢手段とを支持し前記端子を被うカバー手段と、当該カバー手段を支持する支持手段と、前記カバー手段が前記端子を被う状態で前記当接部材及び前記支持手段に係合可能に作動される係合手段と、前記カバー手段が前記付勢手段及び当接部材を介して前記端子の絶縁キャップを適正に押圧した適正カバー状態において、前記当接部材及び前記支持手段に係合する前記係合手段を固定させる施錠手段とを備えたことを特徴とする。
【０００７】
請求項３の発明は、請求項１又は請求項２に記載の端子用保護カバー装置において、複数の端子に各々応じた当接部材及び付勢手段を有し、係合手段は複数の当接部材と同時に係合可能であることを特徴とする。
【０００８】
請求項４の発明は、請求項１乃至請求項３の何れかに記載の端子用保護カバー装置において、当接部材は、絶縁キャップの装着方向へ摺動自在にカバー手段に支持され、前記カバー手段は、裏面側で端子を被う板状であって、当該カバー手段を貫通して絶縁キャップの着脱方向と平行に延在する支持手段に対し摺動自在であることを特徴とする。
【０００９】
請求項５の発明は、請求項１乃至請求項４の何れかに記載の端子用保護カバー装置において、係合手段は、板状のカバー手段に平行移動自在に支持され、所定の移動位置において、当接部材及び支持手段と係合可能であり、更に当該係合手段は、略板状部材であって、当該板状部材の一部の縁部が前記当接部材の溝に係脱自在に係合可能であると共に、他の一部の縁部が板状の前記支持手段の溝に係脱自在に係合可能であることを特徴とする。
【００１０】
【発明の実施の形態】
実施の形態１．
実施の形態１は、端子に着脱自在に装着された絶縁キャップに対して、当該絶縁キャップの端子への装着方向へ前記絶縁キャップを押圧するよう摺動自在に当接される当接部材と、この当接部材を前記の装着方向へ常に押圧するように付勢する付勢手段と、これらの当接部材と付勢手段とを支持すると共に前記の端子へ不用意に接触しないよう当該端子を被うように構成されたカバー手段と、このカバー手段を前記の端子を被う状態で支持する支持手段と、このカバー手段が前記の端子を被う状態で前記の当接部材と支持手段とに係合可能に作動される係合手段と、前記のカバー手段が、前記の付勢手段によって当接部材を介して前記の端子に装着された絶縁キャップを適正に押圧した適正カバー状態において、当接部材と支持手段とに係合させた前記の係合手段を、カバー手段に固定させる施錠手段とを備えた構成としたものである。
以下、図１乃至図１４に基づいて説明する。
【００１１】
先ず、図１及び図２において、図示の装置は、開閉器用端子１に接続された３相各相のケーブルヘッド２、２、２の操作正面側に、試験用端子３、３、３が横一列に列設された開閉器である。尚、図中の９６は操作機構部、９７はケーブルである。
【００１２】
図３乃至図８において、上記の各試験用端子３、３、３（以下、単に端子３ともいう）に各々着脱自在に装着された絶縁キャップ４、４、４（以下、単に絶縁キャップ４ともいう）が、運転中に不用意に外れないように、端子用保護カバー装置５のカバー手段６によって被われている。
【００１３】
この形態１に示す上記のカバー手段６は、図８から判るように、裏面側が開口した箱状であり、箱内にて上記の端子３を被う形態のものであるが、これに限らず、裏面側で上記端子３を被うことができる形態、例えば正面側が板状であって、その左右両端側が図上後方に若干折り曲げられた形態のものでもよい。
カバー手段６は、当該カバー手段６の正面両端寄りを貫通して絶縁キャップ４の着脱方向と平行に、操作正面側に両腕を突き出すように延在された２本の平行な支持手段７、７によって摺動自在に支持されている。
尚、両支持手段７、７の基部は開閉器の装置フレームに適当に固定されている（非図示）。
【００１４】
上記のカバー手段６は、その裏面側に係合手段としての長尺の略板状の移動部材８を平行移動自在に支持している。
この移動部材８は、その両端側が折り曲げられたカバー手段６の折り曲げ部９、９の各々に開けられた貫通孔に、当該移動部材８の両端縁側の一部がそれぞれ突出するよう形成された先端部が摺動自在に挿入された状態にて、平行移動可能となっており、前記の両端縁がそれぞれの側の折り曲げ部９，９の内側に当たることで、左右移動が制限されている。
【００１５】
他方、両支持手段７、７の突き出し方向の適所には、移動部材８の板状縁部の一部が嵌入して、当該移動部材８の前記突き出し方向への移動、従って、カバー手段６の前記突き出し方向への移動が不能となるよう係脱自在に係合可能な係合孔としての溝１０が１個所それぞれに設けられている。
【００１６】
図９において、１１はカバー手段６に摺動自在に支持された当接部材１１である。この当接部材１１によって、端子３に着脱自在に装着された絶縁キャップ４が、その装着方向の背後（図上左側）から装着方向へ押圧される。
図は、カバー手段６が支持手段７、７に案内されて端子３方向へ押し込まれ、当接部材１１が絶縁キャップ４の背後に当接した状態を示す断面図である。
尚、この状態から、カバー手段６が端子３とは逆方向に引き戻されると、当接部材１１はカバー手段６と共に引き戻され、絶縁キャップ４から離れる。
【００１７】
上記の当接部材１１は、カバー手段６の裏面側から端子３方向に突き出るように固定された支持軸１２の軸方向に摺動自在に嵌挿されており、当該支持軸１２に巻装された付勢手段１３としてのバネによって、常時、支持軸１２の先端側へと付勢されている。
【００１８】
他方、この当接部材１１には、上記の係合手段としての移動部材８の板状縁部の一部が嵌入して、係脱自在に係合可能な係合孔としての溝１４が設けられている。
この形態１の当接部材１１は、円柱状部材であって、その中心軸方向に上記支持軸１２が嵌入して回動自在となっているため、上記の溝１４は図示のように、当接部材１１の胴回りを廻るように形成されている。
【００１９】
次に、図１１乃至図１４図において、施錠手段を説明する。
この形態１の施錠手段は鍵２１と錠２２とで構成されている。
錠２２は、カバー手段６に固定され、錠２２の係合子２３が、移動部材８の係合片８３に形成された係合孔８２に侵入することで、係止即ち施錠され、移動部材８のカバー手段６に対する平行移動が不能となる。
【００２０】
この施錠に当たっては、カバー手段６が付勢手段１３及び当接部材１１を介して、端子３の絶縁キャップ４を装着方向に向けて適正に押圧した状態、即ち適正カバー状態であることが必要である（適性カバー状態については後述する）。
このため、錠２２の係合子２３が、移動部材８の係合孔８２に侵入するためには、当該移動部材８が、所定の移動位置、即ち係合孔８２が係合子２３の侵入位置と一致するように移動しておかなくてはならない。
即ち、図１３及び図１４で示す解錠状態から図１１及び図１２に示す施錠状態となるように、移動部材８を図上右方向へ移動させる必要がある。
尚、符号８４は移動部材８を移動操作し易いように外部に延在させた操作片である。
【００２１】
さて、上記の移動部材８を上記の所定の移動位置に位置させるためには、図５及び図６に示すように、移動部材８を支持手段７の溝１０に侵入させねばならない。この溝１０は、図９において、絶縁キャップ４が正しく端子３に装着された状態において、当接部材１１が当接する位置にカバー手段６が支持手段７、７に押し込まれた場合に、移動部材８が侵入できる位置に、予め設定されている。
【００２２】
更に、上記の移動部材８が支持手段７の溝１０に侵入可能となるためには、移動部材８の右方向移動が可能でなければならないが、この右方向移動が可能となるのは、カバー手段６が適正カバーの位置にある状態（以下、適正カバー状態ともいう）でなければならないのである。
【００２３】
次に、この適正カバー状態について説明する。
先ず、図１３に示すように、移動部材８は、図上左方向に移動された解錠状態では、当接部材１１の溝１４から移動部材８の縁部が離脱した状態にある。
従って、この状態では、カバー手段６は、支持手段７、７に対して摺動自在となっており、カバー手段６の端子３方向への押し込みや逆方向への引出しが可能である。
【００２４】
このように、カバー手段６が摺動自在な状態において、端子３に適正に装着された絶縁キャップ４に当接部材１１を当てるべく、当該カバー手段６を支持手段７、７に案内させながら、押し込んで行く。
即ち、上記した移動部材８が所定の移動位置への移動が可能な位置まで、押し込んでから、移動部材８を支持手段７、７の溝１０に侵入させるよう右方向へ移動させる。
【００２５】
このように右移動させようとしたとき、適正カバー状態でなければ、即ち、絶縁キャップ４が装着されていなかったり、不具合に装着されていたりすると、当該絶縁キャップ４に当接された当接部材１１の位置が、絶縁キャップ４が正しく装着されている場合における本来の位置から外れた位置となってしまう。
当接部材１１が本来の位置に存在しないと、移動部材８の縁部の一部が当接部材１１の溝１４に侵入することができない。
即ち、移動部材８の縁部の一部が当接部材１１の他の部位、例えば胴回り部に衝突して、移動部材８の右方向への移動、即ち所定位置への移動が不能となるのである。
【００２６】
かかる状態における移動部材８の移動不能は、操作者に対して、適正カバー状態ではないこと、即ち、絶縁キャップ４が適正に装着されていないことの警告であり、操作者はこの警告を否応なく知らされることとなって、絶縁キャップ４の装着状態の点検が強制される。
こうして、改めて絶縁キャップ４が適正に装着されて、適正カバーの位置にある状態となると、初めて、移動部材８を、図上右方向へ移動させることができ、支持手段７の溝１０に侵入させることで、移動部材８を所定の移動位置へ移動させての施錠が可能となるのである。
【００２７】
施錠状態においては、端子３に適正に装着された絶縁キャップ４に当接された当接部材１１が、適正カバー状態を維持した状態にて、移動部材８を介して支持手段７によって係止され、かかる係止状態にて、移動部材８が移動不能にカバー手段６に固定される結果、上記の絶縁キャップ４は適正カバー状態にて確実に固定されることとなる。
【００２８】
上記の施錠手段として、鍵と錠とを用いる場合には、鍵２１が、解錠時には錠２２から引き抜き不能で、施錠時のみ引き抜き可能なものを用いることによって、更に、上記保護機能を確実にすることができる。
又、端子３の数は１個でも複数個でもよい。複数の場合には、何れか一つの端子に装着されるべき絶縁キャップ４に装着不具合があれば、移動部材８が所定の移動位置への移動が不能となる。
尚、上記実施の形態１では、本発明の端子用保護カバー装置を、開閉器の試験用端子に適用した例で説明したが、これに限らないことは勿論、用途如何に関わらず、広く、絶縁キャップが装着される端子に対して適用することができる。
【００２９】
上記実施の形態１の端子用保護カバー装置によれば、３相各層の各端子に、夫々個別的に独立させた絶縁キャップを装着させることで、本装置の取付を可能とし、施錠することで、解錠なしには保護カバーを外すことができないから、端子に装着された絶縁キャップが不用意に外れることがなく、確実に端子の保護状態を維持することができる。
【００３０】
上記実施の形態１では、施錠手段をカバー手段６に固定即ち配設してあるが、これに限らず、支持手段７や移動部材８等に配設してもよい。又、本装置が適用される環境によっては、必ずしも、施錠手段を備えていなくても、十分に端子の保護状態を維持することもできる。
【００３１】
【発明の効果】
請求項１乃至請求項５の各発明によれば、何れも、端子に装着された絶縁キャップが、運転中に外れたり、保護カバーの開閉の際や端子への接続作業の際等において、絶縁キャップの装着忘れや、装着が不適正なままとなる等の不都合を解消することができると共に、絶縁キャップが不用意に外れたりすることがなく、確実に端子の保護状態を維持できる端子用保護カバー装置を提供することができる。
【図面の簡単な説明】
【図１】  開閉器の概略構成を示す正面図である。
【図２】  開閉器の概略構成を示す側面図である。
【図３】  絶縁キャップを被う施錠状態の保護カバーの正面図である。
【図４】  絶縁キャップを被う解錠状態の保護カバーの正面図である。
【図５】  図３のＡ−Ａ断面図である。
【図６】  図５のＢ−Ｂ断面図である。
【図７】  保護カバーの支持状態の外観を示す斜視図である。
【図８】  保護カバーの支持状態の構造を示す斜視図である。
【図９】  絶縁キャップの装着状態を示す断面図である。
【図１０】  保護カバーの水平断面図である。
【図１１】  保護カバーの施錠された状態を示す正面図である。
【図１２】  施錠状態を示す断面図である。
【図１３】  保護カバーの解錠された状態を示す正面図である。
【図１４】  解錠状態を示す断面図である。
【図１５】  従来の端子用保護カバーを備えた開閉器の斜視図である。
【図１６】  従来の端子用の保護カバーの動作を示す説明図である。
【符号の説明】
３  端子、４  絶縁キャップ、６  カバー手段、７  支持手段、８  移動部材（係合手段）、１０  溝（支持手段）、１１  当接部材、１３  付勢手段（バネ）、１４  溝（当接部材）、２１  鍵（施錠手段）、２２  錠（施錠手段）、２３  係合子（施錠手段）。
【図１】
0004454797.tif 000002
【図２】
0004454797.tif 000003
【図３】
0004454797.tif 000004
【図４】
0004454797.tif 000005
【図５】
0004454797.tif 000006
【図６】
0004454797.tif 000007
【図７】
0004454797.tif 000008
【図８】
0004454797.tif 000009
【図９】
0004454797.tif 000010
【図１０】
0004454797.tif 000011
【図１１】
0004454797.tif 000012
【図１２】
0004454797.tif 000013
【図１３】
0004454797.tif 000014
【図１４】
0004454797.tif 000015
【図１５】
0004454797.tif 000016
【図１６】
0004454797.tif 000017